(57)【要約】      （修正有）【課題】内部を減圧又は加圧する密閉空間に適用することができ、密閉空間を開放することなく長期間継続して密閉空間内に電力を供給することができ、経年変化で密閉空間の密閉性能に悪影響を及ぼすおそれがなく、遮光性が要求される密閉空間にも適用できる密閉空間用の非接触電力伝送装置を提供する。【解決手段】隔壁１ａの内面に固定され受電コイル１６を電力伝送壁３に近接させて保持する内側保持具２０と、隔壁１ａの外面に固定され給電コイル１２を電力伝送壁３に近接させて保持する外側保持具３０とを備え、給電コイル１２と受電コイル１６間で電力を非接触で伝送する。受電コイル１６の受電面１６ａと電力伝送壁３の内面との間、及び給電コイル１２の給電面１２ａと電力伝送壁３の外面との間にそれぞれ隙間が設けられ、密閉空間１の減圧又は加圧により変形する電力伝送壁３が受電面１６ａ及び給電面１２ａに接触しないように構成されている。【選択図】図１
2014023397.tif 000002
【特許請求の範囲】
【請求項１】
隔壁の一部ないし全部が電磁界を透過させる材料からなる電力伝送壁である密閉空間内に電力を供給する密閉空間用の非接触電力伝送装置であって、
隔壁の内面に固定され、受電コイルを電力伝送壁に近接させて保持する内側保持具と、
隔壁の外面に固定され、給電コイルを電力伝送壁に近接させて保持する外側保持具と、を備え、
給電コイルと受電コイル間で電力を非接触で伝送する、ことを特徴とする密閉空間用の非接触電力伝送装置。
【請求項２】
受電コイルの受電面と電力伝送壁の内面との間、及び給電コイルの給電面と電力伝送壁の外面との間にそれぞれ隙間が設けられ、密閉空間の減圧又は加圧により変形する電力伝送壁が受電面及び給電面に接触しないように構成されている、ことを特徴とする請求項１に記載の密閉空間用の非接触電力伝送装置。
【請求項３】
内側保持具と外側保持具は、一方又は両方にマグネットを有し、吸着することにより隔壁に固定される、ことを特徴とする請求項１又は２に記載の密閉空間用の非接触電力伝送装置。
【請求項４】
内側保持具と外側保持具は、一方又は両方にバキュームカップを有し、吸着することにより隔壁に固定される、ことを特徴とする請求項１又は２に記載の密閉空間用の非接触電力伝送装置。
【請求項５】
内側保持具と外側保持具は、両方にマグネットを有し、互いに吸引して隔壁を挟み込むことにより隔壁に固定される、ことを特徴とする請求項１又は２に記載の密閉空間用の非接触電力伝送装置。
【請求項６】
密閉空間の外側に設けられ給電コイルに電力を供給する給電回路と、
密閉空間の内側に設けられ受電コイルから電力を受電する受電回路と、
給電回路から受電回路へ伝送された電力の伝送効率を検出する伝送効率検出装置と、を備える、ことを特徴とする請求項１に記載の密閉空間用の非接触電力伝送装置。
【請求項７】
伝送効率検出装置は、受電回路の受電電力量を演算する受電演算器と、受電電力量を送信する受電送信器と、受電電力量を受信する給電受信器と、給電回路の給電電力量を演算しかつ伝送された電力の伝送効率を演算する給電演算器と、を有する、ことを特徴とする請求項６に記載の密閉空間用の非接触電力伝送装置。
【発明の詳細な説明】
【技術分野】
【０００１】
本発明は、密閉空間に電力供給を非接触で行う非接触電力伝送装置に関する。
【背景技術】
【０００２】
グローブボックス、クリーンルームなどの密閉空間は、内部から外部への物質漏洩の防止（細菌や毒物や汚物の扱い）及び外部から内部への物質侵入の防止（乾燥・清浄環境への水分やほこりの侵入防止）のために高い密閉性が要求される。
一方、かかる密閉空間において、照明、記録装置の駆動等のために密閉空間の内部への電源供給が必要となる。
従来、このような密閉空間用の電力供給手段として、特許文献１〜４が既に開示されている。
【０００３】
特許文献１では、グローブボックスに気密型集中ガス配管パネル及び気密給電端子が設置されている。
特許文献２では、グローブボックスの壁貫通孔に気密型給電器が設置されている。
特許文献３では、グローブボックスのグローブポートに装着される閉塞栓に、通電コネクタが取り付けられている。
特許文献４では、グローブボックスのシール壁を透して外部の照明機構からの光で内部モジュールの光電池に給電している。
【先行技術文献】
【特許文献】
【０００４】
【特許文献１】特開昭６１−７９１９５号公報
【特許文献２】特公平２−１６０８５号公報
【特許文献３】特開２００７−２２９８２０公報
【特許文献４】欧州特許出願公開第１３５４６７１号明細書
【発明の概要】
【発明が解決しようとする課題】
【０００５】
上述した従来の電力供給手段は、（１）外部から内部へ接続端子（気密給電端子、気密型給電器、通電コネクタ）を介して通電する、又は、（２）外部からの光で光電池に給電するものである。
また、その他に（３）内部に電池を設置する手段も想定される。
【０００６】
しかし、（１）接続端子を用いる場合、接続端子が密閉空間の隔壁を貫通するため、接続端子を設置するために隔壁に貫通穴が必要となる。そのため、密閉性を保持するように貫通穴を塞ぐ密閉構造が複雑となる。また、経年変化で密閉構造を構成する部材が劣化し、内部から外部への物質漏洩や外部から内部への物質侵入が生じる等、密閉性能が悪影響を受ける可能性がある。
（２）外部から光で給電する場合、光電池による発電出力が小さいため、供給できる電力が小さい。また、密閉空間の隔壁が光を透す必要があるため、遮光性が要求される密閉空間には適用できない。
（３）電池を用いる場合、電池の容量には限りがあるため、一定時間ごとに電池を交換する必要があり、電池を交換するときに密閉空間を一時的に開放する必要があり、物質漏洩や物質侵入が生じる可能性がある。
【０００７】
また、グローブボックス、クリーンルームなどの密閉空間は、内部を減圧又は加圧する場合がある。このような場合、密閉空間の隔壁は内部の減圧又は加圧により変位し、電力供給に影響が生じる可能性があった。
【０００８】
本発明は、かかる問題点を解消するために創案されたものである。すなわち、本発明の目的は、内部を減圧又は加圧する密閉空間に適用することができ、密閉空間を開放することなく長期間継続して密閉空間内に電力を供給することができ、経年変化で密閉空間の密閉性能に悪影響を及ぼすおそれがなく、遮光性が要求される密閉空間にも適用できる密閉空間用の非接触電力伝送装置を提供することにある。
【課題を解決するための手段】
【０００９】
本発明によれば、隔壁の一部ないし全部が電磁界を透過させる材料からなる電力伝送壁である密閉空間内に電力を供給する密閉空間用の非接触電力伝送装置であって、
隔壁の内面に固定され、受電コイルを電力伝送壁に近接させて保持する内側保持具と、
隔壁の外面に固定され、給電コイルを電力伝送壁に近接させて保持する外側保持具と、を備え、
給電コイルと受電コイル間で電力を非接触で伝送する、ことを特徴とする密閉空間用の非接触電力伝送装置が提供される。
【００１０】
本発明の実施形態によれば、受電コイルの受電面と電力伝送壁の内面との間、及び給電コイルの給電面と電力伝送壁の外面との間にそれぞれ隙間が設けられ、密閉空間の減圧又は加圧により変形する電力伝送壁が受電面及び給電面に接触しないように構成されている。
【００１１】
内側保持具と外側保持具は、一方又は両方にマグネットを有し、吸着することにより隔壁に固定される、ことが好ましい。
【００１２】
また、内側保持具と外側保持具は、一方又は両方にバキュームカップを有し、吸着することにより隔壁に固定される、ことが好ましい。
【００１３】
また、内側保持具と外側保持具は、両方にマグネットを有し、互いに吸引して隔壁を挟み込むことにより隔壁に固定される、ことが好ましい。
【００１４】
また、密閉空間の外側に設けられ給電コイルに電力を供給する給電回路と、
密閉空間の内側に設けられ受電コイルから電力を受電する受電回路と、
給電回路から受電回路へ伝送された電力の伝送効率を検出する伝送効率検出装置と、を備える。
【００１５】
また、伝送効率検出装置は、受電回路の受電電力量を演算する受電演算器と、受電電力量を送信する受電送信器と、受電電力量を受信する給電受信器と、給電回路の給電電力量を演算しかつ伝送された電力の伝送効率を演算する給電演算器と、を有する。
【発明の効果】
【００１６】
上記本発明の構成によれば、内側保持具と外側保持具が隔壁の内面と外面にそれぞれ固定されているので、密閉空間の隔壁が内部の減圧又は加圧により変位しても、内側保持具と外側保持具は隔壁の変位に追従して変位する。
従って、内側保持具と外側保持具にそれぞれ保持された受電コイルと給電コイルは、電磁界を透過させる材料からなる電力伝送壁を間に挟んだ状態で相対的な位置関係を保持することができ、給電コイルと受電コイル間で電力を非接触で伝送することができる。
【００１７】
また、電磁界を透過させる材料からなる電力伝送壁は、一体部品で構成することができ、貫通孔等の加工を必要としないので、密閉空間を開放することなく長期間継続して密閉空間内に電力を供給することができ、経年変化で密閉空間の密閉性能に悪影響を及ぼすおそれがない。
さらに、電力伝送壁は透光性を必要としないので、遮光性のある材料を用いることで、遮光性が要求される密閉空間にも適用できる。
【図面の簡単な説明】
【００１８】
【図１】本発明による非接触電力伝送装置の第１実施形態を示す図である。
【図２】内側保持具と外側保持具の具体例を示す図である。
【図３】本発明による非接触電力伝送装置の第２実施形態を示す図である。
【発明を実施するための形態】
【００１９】
以下、本発明の好ましい実施形態を添付図面に基づいて詳細に説明する。なお、各図において共通する部分には同一の符号を付し、重複した説明を省略する。
【００２０】
図１は、本発明による非接触電力伝送装置１０の第１実施形態を示す図である。
この図において、（Ａ）は、本発明による非接触電力伝送装置１０を備えた密閉空間１を示す模式図、（Ｂ）は（Ａ）のＢ部拡大図である。
【００２１】
図１（Ａ）において、密閉空間１は、例えばグローブボックス、クリーンルームであり、内部を減圧又は加圧できるようになっている。また給電室２は、密閉空間１に隣接して設けられている。なお、給電室２は必須ではなく、これを省略してもよい。
【００２２】
図１（Ｂ）において、密閉空間１は隔壁１ａで構成される、すなわち、密閉空間１は隔壁１ａで囲まれて周囲の空間から隔離されている。また、隔壁１ａの一部ないし全部が電磁界を透過させる材料からなる電力伝送壁３である。「電磁界を透過させる材料」は、例えばガラス、プラスチック、ＦＲＰ（Ｆｉｂｅｒ−Ｒｅｉｎｆｏｒｃｅｄ  Ｐｌａｓｔｉｃ）などである。
【００２３】
電力伝送壁３は、密閉空間１の減圧又は加圧による変形を低減するように硬質かつ十分な厚さを有する硬質プラスチック又はエンジニアリングプラスチックであるのがよい。
【００２４】
電力伝送壁３は、密閉空間１を構成する隔壁１ａの一部であっても全部であってもよい。電力伝送壁３が隔壁１ａの一部である場合、電力伝送壁３を囲むように保持具固定部４が設けられる。
保持具固定部４は、電力伝送壁３と同じ材質、もしくは、それ以外の隔壁１ａと同じ材質であってもよい。
【００２５】
電力伝送壁３は、給電コイル１２と受電コイル１６の間に電磁気結合回路が形成される領域を含む。すなわち電力伝送壁３は、非接触給電時に電磁界が形成される領域を含む大きさと形状を有する。電力伝送壁３は電磁界を透過する材料からなるので、電力伝送壁３をこのような大きさと形状とすることにより、電力伝送壁３を介して、給電コイル１２から受電コイル１６への非接触給電を、効率を低下させることなく行うことができる。
【００２６】
本発明の非接触電力伝送装置１０は、密閉空間１用であり、密閉空間１内に電力を供給する機能を有する。
図１（Ｂ）において、非接触電力伝送装置１０は、密閉空間１の外側に位置する給電コイル１２、給電コイル１２に電力を供給する給電回路１４、密閉空間１の内側に位置する受電コイル１６、及び受電コイル１６から電力を受電する受電回路１８を備え、給電コイル１２と受電コイル１６間で電力を非接触で伝送する。
給電コイル１２と給電回路１４、及び受電コイル１６と受電回路１８はそれぞれ電力ケーブル１４ａ、１８ａで電気的に接続されている。
【００２７】
給電コイル１２及び受電コイル１６は、好ましくは、電力伝送壁３に直交する方向から見た形状（図１（Ｂ）で右方向から見た形状）が共に長方形のコイルである。
なお、給電コイル１２及び受電コイル１６の形状は、非接触電力伝送が可能である限りで任意であり、例えば円形、楕円形であってもよい。また給電コイル１２と受電コイル１６の形状が相違してもよい。
【００２８】
給電コイル１２と受電コイル１６が対向して近接した状態に配置されることによって電磁気結合回路が形成される。この電磁気結合回路は、給電コイル１２と受電コイル１６とが電磁気的に結合して給電コイル１２から受電コイル１６への非接触の給電が行われる回路を意味し、「電磁誘導方式」で給電を行う回路と、「電磁界共鳴方式」で給電を行う回路とのいずれの回路であっても良い。
給電コイル１２の給電面１２ａと受電コイル１６の受電面１６ａとの間隔は、その間に電磁気結合回路が形成され、所望の非接触電力伝送が可能である限りで任意である。
【００２９】
本発明の非接触電力伝送装置１０は、さらに内側保持具２０と外側保持具３０を備える。
【００３０】
内側保持具２０は、隔壁１ａの内面に固定され、受電コイル１６を電力伝送壁３に近接させて保持する。
図１（Ｂ）において、内側保持具２０は、内側コイル保持部材２２と内面固定部材２４を有する。
内側コイル保持部材２２は、受電コイル１６を保持する部材であり、この例では平板状部材である。
内面固定部材２４は、内側コイル保持部材２２の外縁部に固定され、内側コイル保持部材２２を隔壁１ａの内面に固定する。
【００３１】
なお受電コイル１６の受電面１６ａと電力伝送壁３の内面との間には隙間が設けられ、密閉空間１の減圧又は加圧により電力伝送壁３が変形しても、電力伝送壁３が受電面１６ａに接触しないようになっている。
この構成により、非接触電力伝送に与える密閉空間１の減圧又は加圧の影響を回避することができる。
【００３２】
内側コイル保持部材２２と内面固定部材２４は、密閉空間１内の環境（温度、圧力）と密閉空間１内で取り扱う物質（例えば、汚染物質、細菌、薬剤、毒物）に耐える材質であることが好ましい。また、必要に応じてそれらの環境及び物質に耐える樹脂（例えばテフロン（登録商標））で被覆してもよい。
【００３３】
外側保持具３０は、隔壁１ａの外面に固定され、給電コイル１２を電力伝送壁３に近接させて保持する。
図１（Ｂ）において、外側保持具３０は、外側コイル保持部材３２と外面固定部材３４を有する。
外側コイル保持部材３２は、給電コイル１２を保持する部材であり、この例では平板状部材である。
外面固定部材３４は、外側コイル保持部材３２の外縁部に固定され、外側コイル保持部材３２を隔壁１ａの外面に固定する。
【００３４】
なお給電コイル１２の給電面１２ａと電力伝送壁３の外面との間には隙間が設けられ、密閉空間１の減圧又は加圧により電力伝送壁３が変形しても、電力伝送壁３が給電面１２ａに接触しないようになっている。
この構成により、非接触電力伝送に与える密閉空間１の減圧又は加圧の影響を回避することができる。
【００３５】
図２は、内側保持具２０と外側保持具３０の具体例を示す図である。
図２（Ａ）において、内面固定部材２４と外面固定部材３４は、保持具固定部４の内面と外面にそれぞれ吸着可能なバキュームカップであり、保持具固定部４の任意の位置に固定できるようになっている。
バキュームカップは、複数設けることが好ましい。内側保持具のバキュームカップは、密閉空間１の減圧又は加圧において、内側保持具２０の自重、受電コイル１６の重量および電力ケーブル１８ａの重量や振動等による力が加わっても内側保持具２０が保持具固定部４から外れたり、その内面に沿って移動したりしない吸着力に設定されている。外側保持具のバキュームカップは、隔壁１ａの外側の空気圧において、外側保持具３０の自重、給電コイル１２の重量および電力ケーブル１４ａの重量や振動等による力が加わっても外側保持具３０が保持具固定部４から外れたり、その外面に沿って移動したりしない吸着力に設定されている。
【００３６】
なお、バキュームカップの場合、保持具固定部４の表面が滑らかであり、バキュームカップが吸い付いたときに隙間から空気がもれない必要がある。
また、内側コイル保持部材２２及び外側コイル保持部材３２とバキュームカップとの連結部は、隔壁１ａの変位に追従できるように可撓性又は弾性を有することが好ましい。
【００３７】
図２（Ｂ）は内側保持具２０と外側保持具３０の異なる具体例を示す図である。図２（Ｂ）において、内面固定部材２４と外面固定部材３４は、保持具固定部４の内面と外面にそれぞれ吸着可能なマグネットであり、保持具固定部４の任意の位置に吸着して固定できるようになっている。
マグネットは、複数設けることが好ましい。内側保持具のマグネットは、内側保持具２０の自重、受電コイル１６の重量および電力ケーブル１８ａの重量や振動等による力が加わっても内側保持具２０が保持具固定部４から外れたり、その内面に沿って移動したりしない吸着力を発生する磁力を有する。外側保持具のバキュームカップは、外側保持具３０の自重、給電コイル１２の重量および電力ケーブル１４ａの重量や振動等による力が加わっても外側保持具３０が保持具固定部４から外れたり、その外面に沿って移動したりしない吸着力を発生する磁力を有する。
【００３８】
マグネットは、永久磁石でも電磁石でもよい。永久磁石の場合、その吸着と分離を切り替える切替手段を有することが好ましい。また、電磁石の場合、内側と外側の電磁石はそれぞれ受電回路１８、給電回路１４から電力が供給され、かつそれぞれの電磁石をオンオフするスイッチを有することが好ましい。
【００３９】
保持具固定部４は磁石が吸い付く材料（鉄などの磁性体）である必要があり、かつ表面が滑らかなことが望ましい。この場合、内面固定部材２４と外面固定部材３４の一方のみをマグネットにすることができる。
【００４０】
さらに異なる内側保持具２０と外側保持具３０の具体例として、図２（Ｂ）において、内面固定部材２４と外面固定部材３４は両方がマグネットであり、互いに整合する（対向する）ように配置されて引っ張り合って隔壁１ａを挟みこみ固定できるようになっている。
内側保持具のマグネットと外側保持具のマグネットは、内側保持具２０の自重、受電コイル１６の重量および電力ケーブル１８ａの重量や振動等による力が加わっても内側保持具２０が保持具固定部４から外れたり、その内面に沿って移動したりせず、かつ、外側保持具３０の自重、給電コイル１２の重量および電力ケーブル１４ａの重量や振動等による力が加わっても外側保持具３０が保持具固定部４から外れたり、その外面に沿って移動したりしないよう、引き合う力を発生して隔壁１ａを十分な力で挟み込むことができる磁力を有する。
保持具固定部４は磁力を透過する材料（ガラス、プラスチック、ＦＲＰなど）である必要があり、表面は滑らかで摩擦係数が大きいことが望ましい。
【００４１】
マグネットを使用するいずれの具体例においても、マグネットは、例えば密閉空間１が真空になっても吸着できる利点がある。
また、内側コイル保持部材２２及び外側コイル保持部材３２とマグネットとの連結部は、隔壁１ａの変位に追従できるように可撓性又は弾性を有することが好ましい。
【００４２】
なお、内面固定部材２４と外面固定部材３４の組み合わせは、（１）両方がバキュームカップ、（２）一方がバキュームカップで他方はマグネットで隔壁１ａに吸い付く、（３）両方がマグネットで隔壁１ａに吸い付く、（４）両方マグネットで隔壁１ａをはさみこむ、のいずれであってもよい。
また、内面固定部材２４と外面固定部材３４にバキュームカップとマグネットを併用してもよい。
内面固定部材２４および外面固定部材３４としてバキュームカップないしマグネットを使用することにより、固定のために釘やネジを隔壁１ａに打ち込んだりねじ込んだりすることが不要であり、隔壁１ａの強度が低下しない。また、接着剤で固定する場合と異なり、非接触給電が不要な場合はバキュームカップないしマグネットを隔壁１ａから離すことにより、内側保持具２０を含む受電コイル１６、外側保持具３０を含む給電コイル１２を他の場所へ移設することも可能である。
【００４３】
上述した第１実施形態の構成によれば、内側保持具２０と外側保持具３０が隔壁１ａの内面と外面にそれぞれ固定されているので、密閉空間１の隔壁１ａが内部の減圧又は加圧により変位しても、内側保持具２０と外側保持具３０は隔壁１ａの変位に追従して変位する。
従って、内側保持具２０と外側保持具３０にそれぞれ保持された受電コイル１６と給電コイル１２は、電磁界を透過させる材料からなる電力伝送壁３を間に挟んだ状態で相対的な位置関係を保持することができ、給電コイル１２と受電コイル１６間で電力を非接触で伝送することができる。
【００４４】
また、電磁界を透過させる材料からなる電力伝送壁３は、一体部品で構成することができ、貫通孔等の加工を必要としないので、密閉空間１を開放することなく長期間継続して密閉空間１内に電力を供給することができ、経年変化で密閉空間１の密閉性能に悪影響を及ぼすおそれがない。
さらに、電力伝送壁３は透光性を必要としないので、遮光性のある材料を用いることで、遮光性が要求される密閉空間１にも適用できる。
【００４５】
図３は、本発明による非接触電力伝送装置１０の第２実施形態を示す図である。
この例において、本発明の非接触電力伝送装置１０は、さらに給電回路１４から受電回路１８へ伝送された電力の伝送効率を検出する伝送効率検出装置４０を備える。
【００４６】
この例において、伝送効率検出装置４０は、受電演算器４１、受電信号線４２、受電送信器４３、給電受信器４４、給電信号線４５、給電演算器４６及び出力装置４７を有する。
【００４７】
受電演算器４１は、受電回路１８の受電電力量を演算する。この受電電力量は、受電回路１８の電圧と電流の積として求めることができる。得られた受電電力量のデータは、受電信号線４２を介して受電送信器４３に入力される。
【００４８】
受電送信器４３、給電受信器４４は、それぞれ内側コイル保持部材２２と外側コイル保持部材３２の互いに対向する位置に固定され、受電送信器４３から給電受信器４４に電力伝送壁３を通過して受電回路１８の受電電力量を通信する。受信した受電電力量のデータは、給電信号線４５を介して給電演算器４６に入力される。
【００４９】
給電演算器４６は、給電回路１４の給電電力量を演算する。この給電電力量は、給電回路１４の電圧と電流の積として求めることができる。
給電演算器４６はさらに、受電電力量と給電電力量から伝送された電力の伝送効率を演算する。この伝送効率は、伝送効率＝（受電回路１８の受電電力量）／（給電回路１４の給電電力量）として求めることができる。
出力装置４７は、伝送効率の値を数値やメータで表示したり、或いは伝送効率が予め設定した閾値より低い場合にアラーム（ランプ又は音）を出力する。
【００５０】
その他の構成は、第１実施形態と同様である。
【００５１】
上述した第２実施形態の構成によれば、第１実施形態と同様に、内側保持具２０と外側保持具３０にそれぞれ保持された受電コイル１６と給電コイル１２は、電磁界を透過させる材料からなる電力伝送壁３を間に挟んだ状態で相対的な位置関係を保持することができ、給電コイル１２と受電コイル１６間で電力を非接触で伝送することができる。
【００５２】
また、第１実施形態と同様に、密閉空間１を開放することなく長期間継続して密閉空間１内に電力を供給することができ、経年変化で密閉空間１の密閉性能に悪影響を及ぼすおそれがない。
さらに、第１実施形態と同様に、電力伝送壁３は透光性を必要としないので、遮光性のある材料を用いることで、遮光性が要求される密閉空間１にも適用できる。
【００５３】
さらに上述した第２実施形態の構成によれば、伝送効率検出装置４０により給電回路１４から受電回路１８へ伝送された電力の伝送効率を検出し、出力装置４７で伝送効率の値を表示したり又はその異常を出力するので、衝撃や干渉により給電コイル１２又は受電コイル１６の位置がズレて、互いに対向しなくなったような場合でも、外部から電力の伝送効率を常時監視することができる。
また電力伝送壁３が遮光性のある不透明な材料であっても、隔壁１ａの外側において出力装置４７で表示される伝送効率を目視することにより伝送効率が高い位置に給電コイル１２及び外側保持具３０を設置することが可能であり、それらの位置決めを容易にすることができる。
【００５４】
なお、清浄で湿度も低い側に位置する給電コイル１２は、コイル自身の保護を簡易にし、放熱を容易にするのがよい。
また、細菌が存在する、毒物がある、など汚染された側に位置する受電コイル１６は、樹脂で封入して電気回路の劣化を防ぎ、汚物除去しやすくすることが望ましい。
特に汚れる環境、付着したものが漏洩することが望ましくない環境では、非接触給電の受電コイル１６、受電回路１８、内側コイル保持部材２２、内面固定部材２４、電力を使用する装置（照明用ランプなど）を一体構造とし、使用後に容易に廃棄できるようにしてもよい。
【００５５】
また、電磁界の影響を受けやすい精密測定機器などを使用する場合、金属等を用いて受電コイル１６の受電面１６ａ以外、給電コイル１２の給電面１２ａ以外を囲むように電磁気シールドを設け、非接触給電にともなって発生する電磁界が精密測定機器等に影響することを防止してもよい。
【００５６】
なお、本発明は上述した実施形態に限定されず、特許請求の範囲の記載によって示され、さらに特許請求の範囲の記載と均等の意味及び範囲内でのすべての変更を含むものである。
【符号の説明】
【００５７】
１  密閉空間、１ａ  隔壁、２  給電室、
３  電力伝送壁、４  保持具固定部、
１０  非接触電力伝送装置、
１２  給電コイル、１２ａ  給電面、
１４  給電回路、１４ａ  電力ケーブル、
１６  受電コイル、１６ａ  受電面、
１８  受電回路、１８ａ  電力ケーブル、
２０  内側保持具、２２  内側コイル保持部材、２４  内面固定部材、
３０  外側保持具、３２  外側コイル保持部材、３４  外面固定部材、
４０  伝送効率検出装置、
４１  受電演算器、４２  受電信号線、
４３  受電送信器、４４  給電受信器、
４５  給電信号線、４６  給電演算器、
４７  出力装置
【図１】
2014023397.tif 000003
【図２】
2014023397.tif 000004
【図３】
2014023397.tif 000005